(57)【特許請求の範囲】
【請求項１】
第１の基板にマトリクス状に配設された複数の走査線および複数の信号線と、前記走査線と前記信号線との交差部毎に形成され一端が前記信号線に接続されて前記走査線の信号に基づいて開閉動作するスイッチング素子と、前記スイッチング素子毎に接続され形成された複数の画素電極とを有するマトリクス基板と、
第２の基板上に前記画素電極に対し、前記信号線とほぼ平行な形状で形成されたストライプ状の複数色の着色層からなるカラーフィルタ部と、前記第２の基板上に前記複数色の着色層のうちの少なくとも異なる２色の前記着色層が積層されてなるスペーサ部と、対向電極とを有するカラーフィルタ基板と、
前記マトリクス基板と前記カラーフィルタ基板との間に挟持された液晶層と、
を備え、
前記カラーフィルタ部の、前記スペーサ部を構成する最上層の着色層と同一色の着色層は開口部を有し、前記スペーサ部の内前記開口部に配置されるスペーサ部を構成する最上層の着色層は前記開口部を有する着色層と非連続であり、前記スペーサ部および前記開口部は、前記走査線上に配置されていることを特徴とする液晶表示素子。
【請求項２】
第１の基板にマトリクス状に配設された複数の走査線および複数の信号線と、前記走査線と前記信号線との交差部に形成され一端が前記信号線に接続されて前記走査線の信号に基づいて開閉動作するスイッチング素子と、前記走査線、信号線及びスイッチング素子を含む前記第１の基板のほぼ全面を覆う複数色の着色層からなるカラーフィルタ部と、前記走査線、信号線及びスイッチング素子を含む前記第１の基板上に前記複数色の着色層のうち少なくとも異なる２色の前記着色層が積層され、この積層された着色層のうちの１つの着色層と、前記カラーフィルタ部の、前記１つの着色層と同一色の着色層とが連続するように構成された第１のスペーサ部と、前記基板上に前記複数色の着色層のうち少なくとも異なる２色の前記着色層が積層され、この積層された着色層のいずれもが前記カラーフィルタ部を構成する着色層と非連続となるように構成された第２のスペーサ部と、前記カラーフィルタ部上に設けられ、このカラーフィルタ部の着色層に設けられたスルーホールを介して前記スイッチ素子の他端に接続された画素電極とを有するマトリクス基板と、
第２の基板上に対向電極が形成された対向電極基板と、
前記マトリクス基板と前記対向電極基板との間に挟持された液晶層と、
を備え、
前記カラーフィルタ部の、前記第２のスペーサ部を構成する最上層の着色層と同一色の着色層は開口部を有し、前記開口部に前記第２のスペーサが配置され、前記スペーサ部および前記開口部は、前記走査線上に配置されていることを特徴とする液晶表示素子。
【請求項３】
第１の基板にマトリクス状に配設された複数の走査線および複数の信号線と、前記走査線と前記信号線との交差部に形成され一端が前記信号線に接続されて前記走査線の信号に基づいて開閉動作するスイッチング素子と、前記走査線、信号線及びスイッチング素子を含む前記第１の基板のほぼ全面を覆う複数色の着色層からなるカラーフィルタ部と、前記走査線、信号線及びスイッチング素子を含む前記第１の基板上に前記複数色の着色層のうち少なくとも異なる２色の前記着色層が積層されてなるスペーサ部と、前記カラーフィルタ部上に設けられ、このカラーフィルタ部の着色層に設けられたスルーホールを介して前記スイッチング素子の他端に接続された画素電極とを有するマトリクス基板と、
第２の基板上に対向電極が形成された対向電極基板と、
前記マトリクス基板と前記対向電極基板との間に挟持された液晶層とを備え、
前記カラーフィルタ部の、前記スペーサ部を構成する最上層の着色層と同一色の着色層は開口部を有し、前記スペーサ部の内前記開口部に配置されるスペーサ部を構成する最上層の着色層は前記開口部を有する着色層と非連続であり、前記スペーサ部および前記開口部は、前記走査線上に配置されていることを特徴とする液晶表示素子。
【請求項４】
前記カラーフィルタ部を構成する着色層がストライプ形状であることを特徴とする請求項２または３記載の液晶表示素子。
【請求項５】
前記スペーサ部は３色以上の着色層が積層されてなり、前記スペーサを構成する最上層の着色層が、前記スペーサ部を構成する他の着色層が重なり合う前記基板とほぼ平行な断面領域内に配置されていることを特徴とする請求項１乃至３のいずれかに記載の液晶表示素子。
【発明の詳細な説明】
【０００１】
【発明の属する技術分野】
本発明は、カラーフィルタ基板および液晶表示素子に関する。
【０００２】
【従来の技術】
現在、一般的に用いられている液晶表示素子は、各々が、電極を有する２枚のガラス基板の間に液晶を挟持し、２枚の基板の周囲が液晶封入口を除いて接着剤で固定され、上記液晶封入口が封止剤で封止された構成をしている。そしてこの２枚の基板間の距離を一定に保つためのスペーサとして粒径の均一なプラスティックビーズ等を基板間に散在させている。
【０００３】
これらの液晶表示素子では、２枚の基板間にスペーサを散在させる工程で、スペーサが不均一に配置され表示不良となり歩留まりの低下を招いていた。
【０００４】
そこでカラー型液晶表示装置においては、図６に示すようにカラーフィルタとなる着色層Ｒ，Ｇ，Ｂを基板５０上の画素領域外に延在させ、これらの着色層Ｒ，Ｇ，Ｂを上記画素領域外で積層させ、この積層した着色層をスペーサとして用いることによって上述の問題を解消させていた。
【０００５】
【発明が解決しようとする課題】
しかし、着色層Ｒ，Ｇ，Ｂを積層させてスペーサを形成する構造の液晶表示素子においては、スペーサ部の最上層と画素領域上の着色層が連続するように形成した層、例えば着色層Ｂは、スペーサ部の幅寸法Ｗが一般に制御困難であり、幅寸法Ｗが大きくなってスペーサ部が画素領域に入り込む場合もあり、開口率が小さくなるという問題がある。また上記着色層Ｂはスペーサ部の最上層と画素領域上の着色層が連続した形成されるため、この着色層Ｂ上に配向膜を形成した場合、画素領域上の着色層とスペーサ部との境界領域６０（図６参照）上の配向膜に配向不良が生じ易い。このためこの配向不良が生じた領域が画素領域に入り込んだ場合には表示不良となるという問題が生じる。
【０００６】
本発明は上記事情を考慮してなされたものであって、開口率が高く、かつ表示不良を可及的に防止することのできるカラーフィルタ基板およびカラー型液晶表示素子を提供することを目的とする。
【０００７】
【課題を解決するための手段】
本発明のカラーフィルタ基板は、基板と、前記基板上に配置された複数色の着色層からからなるカラーフィルタ部と、前記基板上に前記複数色の着色層のうち少なくとも異なる２色の前記着色層が積層され、この積層された着色層のうちの１つの着色層と、前記カラーフィルタ部の、前記１つの着色層と同一色の着色層とが連続するように構成された第１のスペーサ部と、前記基板上に前記複数色の着色層のうち少なくとも異なる２色の前記着色層が積層され、この積層された着色層のいずれもが前記カラーフィルタ部を構成する着色層と非連続となるように構成された第２のスペーサ部と、を備えていることを特徴とする。
【０００８】
言い換えれば、第１のスペーサ部は、スペーサ部を構成する２色の着色層のいずれか一方がカラーフィルタ部を構成する着色層から連続しており、第２のスペーサ部は、スペーサ部を構成する２色の着色層のいずれもがカラーフィルタ部を構成する着色層から平面的に離間している。
【０００９】
また、本発明の液晶表示素子は上記カラーフィルタ基板を有することを特徴とする。
【００１０】
最上層を除く積層した着色層に覆い被さって最上層が配置されてなるスペーサ部において、スペーサ部の太さは最上層の着色層材料の粘度と最上層を除く着色層のスペーサ部の太さや高さとの相互関係等で変わるため、スペーサ部の幅の制御は困難である。しかし、本発明のカラーフィルタ基板及び液晶表示素子では、スペーサ部を構成する着色層の最上層がカラーフィルタ部を構成する着色層と非連続、すなわち平面的に離間している構造の第２のスペーサ部を有することにより、スペーサ部の最上層の形状のみを制御すれば良く、これによりスペーサ部の幅を任意の形状に容易に制御することができる。
【００１１】
本発明では、特に、カラーフィルタ部の着色層のパターン領域内に着色層が積層されてなるスペーサ部を配置する構造を取る場合に有効である。例えば、スペーサ部をカラーフィルタ部を構成する着色層の形成と同時に形成し、３色の着色層からなるカラーフィルタ部の各色毎の着色層領域内にスペーサ部を配置する場合で、スペーサ部を構成する最上層の着色層とそのスペーサ部が配置されるカラーフィルタ部の着色層が同一色である時、第２のスペーサ部のようにスペーサ部の最上層とこのスペーサ部が配置される着色層パターンを非連続とすることにより、最上層のスペーサ幅の制御が容易となる。これにより、スペーサ部が存在することによる配向不良領域を狭い範囲で制御することが可能となる。
【００１２】
また、第１のスペーサ部を構成する着色層の少なくとも１層が、カラーフィルタ部を構成する着色層と連続した形状となっているので、カラーフィルタ部の着色層のパターン領域内で、着色層が形成されていない領域が全くなくなり、着色層が形成されていない領域からの光抜けを防止できる。更に、第１のスペーサ部の下層側の着色層が、カラーフィルタ部を構成する着色層から連続する構造をとることにより、スペーサ部を構成する最上層の着色層とそのスペーサ部が配置されるカラーフィルタ部の着色層が同一色でない第１のスペーサ部では、最上層とカラーフィルタ部の着色層とが非連続であるためスペーサ幅の制御が容易となる。
【００１３】
このように、本発明のカラーフィルタ基板及び液晶表示素子では、カラーフィルタ部の着色層と連続な着色層を有する第１のスペーサ部と、非連続な着色層を有する第２のスペーサ部を有することにより、スペーサ部とカラーフィルタ部とを同時に形成し、スペーサ部の幅を容易に制御し、任意の位置にスペーサ部を配置することが可能となる。
【００１４】
また、本発明の他のカラーフィルタ基板は、基板と、前記基板上に配置された複数色の着色層からなるカラーフィルタ部と、前記基板上に複数色の着色層のうちの少なくとも異なる２色の前記着色層が積層されてなるスペーサ部とを備え、前記スペーサ部を構成する最上層の着色層と、前記カラーフィルタ部の、前記最上層の着色層と同一色の着色層は開口部を有し、前記スペーサ部の内前記開口部に配置されるスペーサ部を構成する最上層の着色層は前記開口部を有する着色層と非連続であることを特徴とする。尚、ここで、開口部とは、カラーフィルタ部の着色層に切り欠け部を設ける場合、孔をあける場合のいずれも含む。
【００１５】
また、本発明の他の液晶表示素子は、上記カラーフィルタ基板を有することを特徴とする。
【００１６】
スペーサ部を構成する最上層の着色層と同一色のカラーフィルタ部の着色層上にスペーサ部を配置した際、カラーフィルタ部の着色層に開口部がない、すなわち、スペーサ部の最上層とカラーフィルタ部の着色層が連続して配置される場合、この最上層を除く積層した着色層上に最上層が覆い被さってスペーサ部が構成される。この場合、スペーサの太さは、最上層の着色層材料の粘度と最上層を除く着色層のスペーサ部の太さや高さとの相互関係等で変わるためスペーサ部の幅の制御は困難であるが、本発明のように、スペーサ部を構成する最上層の着色層と同一色のカラーフィルタ部の着色層に開口部を設け、この開口部にスペーサ部を形成することにより、スペーサ部を形成することにより、スペーサ部の最上層を構成する着色層をカラーフィルタ部の着色層とは離間して配置できるため、スペーサ部の最上層の形状のみを制御すれば良い。これによりスペーサ部の幅を容易に制御しながら、スペーサ部をカラーフィルタ部の着色層のパターン領域内に配置することができる。
【００１７】
また、本発明はこれらカラーフィルタ基板は、隣り合う画素に対応するカラーフィルタ部が同一色で連続している、例えばストラプ形状のカラーフィルタ部であって、このカラーフィルタ部上の隣接する画素間にスペーサ部を配置する場合に、有効な構造である。
【００１８】
ここで、カラーフィルタ部を構成する着色層は３色に限らず、２色又は４色以上の着色層でカラーフィルタを形成した場合においても、同様のことがいえる。
【００１９】
更に、各々のスペーサ部を構成する最上層が、そのスペーサ部を構成する他の層が重なり合う領域内に配置されているようにすることにより、液晶表示素子としたときの２枚の基板間を支える実効的なスペーサの太さは、最上層のスペーサの太さとなる。これにより、スペーサ部を構成する最上層の太さを考慮するのみで２枚の基板間距離を支えるスペーサの太さを制御することができ、スペーサの数および分布等を容易に制御し、幅広い設計をすることが可能となる。また、各々のスペーサ部を構成する最上層が、そのスペーサ部を構成する他の層が重なり合う領域内に配置され、スペーサ部を構成する最上層の着色層が着色層と非連続とすることにより、連続とした場合と比較してスペーサ幅を容易に狭くすることが可能となり、スペーサが形成されているカラーフィルタ基板とこれと対向する基板とを位置あわせする際のスペーサによるカラーフィルタ基板と対向する基板上の傷つきの発生領域を、連続する場合と比較して狭くすることが可能となる。
【００２０】
更に、本発明のこれらのカラーフィルタ基板は、お互いに交差する複数の走査線および複数の信号線とこれらの交差部毎に形成されたスイッチング素子および画素電極とが配置された基板を有するアクティブマトリクス型液晶表示素子に組み込んだ場合、配線例えば走査線と直交した形状のストライプ状のカラーフィルタ部を用い、かつ走査線上にスペーサを配置するような場合、すなわちカラーフィルタ部の着色層パターン上にスペーサを配置する場合に非常に有効な構造である。更にスペーサ部を走査線等の配線上に配置することにより、非画素領域に形成されることとなり、開口率が高くなる。
【００２１】
マトリクス基板と対向電極基板の２枚の基板間に液晶層を挟持したアクティブマトリクス型液晶表示素子において、上記カラーフィルタ部およびスペーサ部をマトリクス基板側に配置し、走査線、信号線等の配線およびスイッチング素子を着色層を介して画素電極を配置する構造にすることにより、画素電極を配線等と着色層を介して重畳することが可能となり、高開口率の液晶表示素子を得ることができる。
【００２２】
【発明の実施の形態】
本発明による液晶表示素子の第１の実施の形態を図１を参照して説明する。この実施の形態の液晶表示素子に用いられるカラーフィルタ基板の断面を図１に示す。この実施の形態にかかるカラーフィルタ基板は基板２上のスペーサ部が形成される領域には遮光膜４ａ，４ｂ，４ｃが形成されている。そして赤（Ｒ）のフィルタが形成される画素領域および遮光膜４ａ上には赤の着色層６ａが連続するように形成されている。なお遮光膜４ａ上の着色層６ａはスペーサ部９ａの構成要素となっている。また、遮光膜４ｂ，４ｃ上にもスペーサ部９ｂ、９ｃの構成要素となる、赤の着色６ｂ，６ｃが形成されている。
【００２３】
一方、緑（Ｇ）のフィルタが形成される画素領域および遮光膜４ｂ上の着色層６ｂを覆うように緑の着色層７ｂが連続して形成されている。また、遮光膜４ａ上の赤の着色層６ａ上には緑の着色層７ａが形成され、遮光膜４ｃ上の赤の着色層６ｃ上には緑の着色層７ｃが形成されている。
【００２４】
更に青（Ｂ）のフィルタが形成される画素領域上には青の着色層８ｃが形成されている。また、遮光膜４ａ上の緑の着色層７ａ上には青の着色層８ａが形成され、遮光膜４ｂ上の緑の着色層７ｂ上には青の着色層８ｂが形成され、遮光膜４ｃ上の緑の着色層７ｃ上には青の着色層８ｄが形成されている。そして全面にＩＴＯからなる電極膜１０が形成されている。
【００２５】
この実施の形態にかかるカラーフィルタ基板においては、遮光膜４ａ上に形成された着色層６ａ，７ａ，８ａによってスペーサ部９ａが構成され、遮光膜４ｂ上に形成された着色層６ｂ，７ｂ，８ｂによってスペーサ部９ｂが構成され、遮光膜４ｃ上に形成された着色層６ｃ，７ｃ，８ｄによってスペーサ部９ｃが構成されている。したがって、スペーサ部９ａ及び９ｂは構成要素のうちの１つの着色層６ａ及び７ｂが画素領域上の着色層と連続するように形成されているのに対して、スペーサ部９ｃはその構成要素の着色層６ｃ，７ｃ，８ｄのいずれもが画素領域上の着色層８ｃとは非連続に形成されている。
【００２６】
これにより、スペーサ部の最上層特にスペーサ部９ｃの最上層の幅寸法を容易に制御することが可能となり、スペーサ部が画素領域に入り込むことを防止することができる。このため開口率を高くできるとともに配向不良による表示不良を可及的に防止することができる。
【００２７】
次に本発明による液晶表示素子の第２の実施の形態を図２および図３を参照して説明する。この実施の形態の液晶表示素子はカラー型アクティブマトリクス液晶表示素子であって、図１に示すカラーフィルタ基板を対向基板として用いたものである。この実施の形態の液晶表示素子の断面を図２に示し、この液晶表示素子のカラーフィルタ基板の平面図を図３に示す。
【００２８】
図２において、対向基板は図１に示す第１の実施の形態のカラーフィルタ基板の電極膜１０上に更に配向膜１６が形成されている。一方、マトリクス基板は以下の構成となっている。透明基板２２上にゲート２４、ゲート線（走査線）２５、および補助容量線２６が形成されている。これらのゲート２４、ゲート線２５、および補助容量線２６は絶縁膜３３によって覆われている。ゲート２４上には絶縁膜３３を介してＴＦＴのチャネルとなる半導体層２７が形成されている。そしてこの半導体層２７の上部にはＴＦＴのソース及びドレイン領域となる、金属層２９ａ，２９ｂが形成されている。また、絶縁膜３３を介して補助容量線２６を覆うように、例えばＩＴＯからなる画素電極２８が形成されている。この画素電極２８はソース及びドレイン領域２９ａ，２９ｂの一方の領域と電気的に接続されている。そして、ソース及びドレイン領域２９ａ，２９ｂと画素電極２８上には配向膜３４が形成されている。
【００２９】
なお、対向基板上に形成される着色層からなるスペーサ部は図３に示すようにマトリクス基板の走査線２５と対向するように配置されている。また同一列の画素領域４７は同一の着色層によって覆われ、着色層は赤（Ｒ）の着色層６ａ、緑（Ｇ）の着色層７ｂ、青（Ｂ）の着色層８ｃの順にストライプ模様となるように配置されている（図３参照）。そして対向基板のスペーサ部とマトリクス基板の走査線２５とを対向するように対向基板とマトリクス基板が配置され、その周囲が接着剤４２によって固定される。これらの基板間には液晶４０が封入されている。なお、図２には示していないが、マトリクス基板から対向電極１０に電圧を印加するための電極転移層が接着剤４２の周囲に形成されている。
【００３０】
この第２の実施の形態の液晶表示素子によれば、カラーフィルタを形成するのに用いられる着色層を積層することによってスペーサ部が形成される。そしてこれらのスペーサ部としては、その構成要素である最上層以外の１つの着色層が、画素領域４７（図３参照）を覆うように連続しているもの（例えばスペーサ部９ａ，９ｂ）と、構成要素であるいずれの着色層も画素領域を覆う着色層とは非連続に形成されるもの（例えばスペーサ部９ｃ）が混在している。これにより、スペーサ部の最上層の幅寸法を容易に制御することが可能となり、開口率が小さくなるのを可及的に防止することができる。このためスペーサ部の幅寸法が広がって画素領域に入り込むことを防止することができ、配向不良による表示不良を可及的に防止することができる。なお、スペーサ部９ｃを構成する最上層の着色層８ｄと同一色の着色層パターン８ｃは開口部１１を有し、この開口部１１に上記スペーサ部９ｃが配置されている（図３参照）。
【００３１】
次にこの第２の実施の形態の液晶表示素子の製造方法について説明する。
【００３２】
マトリクス基板２２については周知の方法を用いて形成する。なお、マトリクス基板上の配向膜３４は配向膜材料を例えば５００オングストローム塗布し、ラビング処理を行って形成する。
【００３３】
次に対向基板２上に、感光性の黒色樹脂をスピンナーを用いて塗布し、９０℃１０分の乾燥後、所定のパターン形状のフォトマスクを用いて３６５ｎｍの波長で、３００ｍＪ／ｃｍ2 の露光量で露光する。その後ｐＨ１１．５のアルカリ水溶液にて現像し、２００℃、６０分の焼成にて膜厚２．０μｍの遮光膜４を形成する。ついで、赤色の顔料を分散させた紫外線硬化型アクリル樹脂レジストをスピンナーにて全面塗布し、スペーサの形成を所望する場所を含め赤に着色したい部分に光が照射されるようなフォトマスクを介し３６５ｎｍの波長で１００ｍＪ／ｃｍ2 照射し、ＫＯＨの１％水溶液で１０秒間現像し、赤の着色層６ａ，６ｂ，６ｃを形成する。ここでは、スペーサの配置は対向するアクティブマトリクス基板２２の走査線２５と相対する場所で信号線やＴＦＴ、画素電極２８との重なり部をさけた場所とした。
【００３４】
次に緑色の顔料を分散させた紫外線硬化型アクリル樹脂レジストを用いて上述の場合と同様に緑の着色層７ａ，７ｂ，７ｃを形成する。続いて青色の顔料を分散させた紫外線硬化型アクリル樹脂レジストを用いて上述の場合と同様に、青の着色層８ａ，８ｂ，８ｃ，８ｄを形成する。
【００３５】
その後、透明電極１０としてＩＴＯ膜を１５００オングストロームの厚さとなるようにスパッタ法にて成膜し、その上に同様の配向膜材料の膜を形成した後、ラビング処理を行い、配向膜１６を形成する。この後、基板２の配向膜１６の周辺に沿って接着剤４２を注入口（図示せず）を除いて印刷し、アクティブマトリクス基板から対向電極に電圧を印加するための電極転移材の膜を接着剤１５の周辺に形成する。次に配向膜１６，３４が対向し、またそれぞれのラビング方向が９０度となるよう基板２，２２を配置し、加熱して接着剤を硬化させ基板２，２２を貼り合わせる。次に通常の方法により注入口より液晶組成物４０を注入し、この後注入口を紫外線硬化樹脂で封止する。こうして形成したカラー表示型アクティブマトリクス液晶表示素子は、セルのギャップの均一も良く、コントラスト比が高く、質の良い表示が得られた。
【００３６】
次に本発明による液晶表示素子の第３の実施の形態を図４および図５を参照して説明する。この実施の形態の液晶表示素子はカラー型アクティブマトリクス液晶表示素子であって、着色層からなるカラーフィルタをマトリクス基板に設けたものである。この実施の形態の液晶表示装置のマトリクス基板の平面図を図４（ａ）に、このマトリクス基板上に着色層を形成した場合の平面図を図４（ｂ）に示す。また、図４（ａ）に示す切断線Ｘ１−Ｘ１′、切断線Ｘ２−Ｘ２′、切断線Ｘ３−Ｘ３′で切断したときの断面図を図５（ａ）、図５（ｂ）、図５（ｃ）に各々示す。
【００３７】
マトリクス基板は、透明基板３２上にゲート電極２４およびゲート線（走査線）２５が形成され、このゲート線２５にほぼ直交する方向に信号線３１が形成されている。これらのゲート線２５および信号線に囲まれた領域が画素領域となる。同一の画素列は同一の着色層によって覆われており、着色層は赤（Ｒ）の着色層６ａ、緑（Ｇ）の着色層７ｂ、青（Ｂ）の着色層８ｃの順にストライプ模様となるように配置されている。
【００３８】
また、各画素領域上には着色層を介して画素電極２８が形成されており、この画素電極２８は着色層に設けられたスルーホール２３を介してＴＦＴのソース領域またはドレイン領域となる金属層２９ｂに接続されている（図５（ａ），（ｂ），（ｃ）参照）。
【００３９】
また、ゲート線２５上にはスペーサ部９ａ，９ｂ，９ｃが設けられている。赤の着色層６ａに被覆される画素列内に設けられるスペーサ部９ａは図５（ａ）に示すように赤の着色層６ａ、緑の着色層７ａ、および青の着色層８ａから構成される。
【００４０】
また、緑の着色層７ｂに被覆される画素列内に設けられるスペーサ部９ｂは図５（ｂ）に示すように赤の着色層６ｂ、緑の着色層７ｂ、および青の着色層８ｂから構成される。また、スペーサ部９ｃは青の着色層８ｃに被覆される画素列内に設けられ、図５（ｃ）に示すように赤の着色層６ｃ、緑の着色層７ｃ、および青の着色層８ｄから構成される。
【００４１】
したがってスペーサ９ａは、構成要素となる着色層６ａが画素領域を被覆する着色層６ａと連続するように形成され、同様にスペーサ９ｂは、構成要素となる着色層７ｂが画素領域を被覆する着色層７ｂと連続するように形成されている。しかし、スペーサ部９ｃは構成要素となるどの着色層も、画素領域を被覆する着色層８ｃと非連続となるように形成されている。なお、スペーサ部９ｃを構成する最上層の着色層８ｄと同一色（青色）の着色層パターン８ｃは開口部１１を有し、この開口部１１に上記スペーサ部９ｃが配置されている（図４参照）。
【００４２】
なお、本実施の形態においては、開口部として切り欠け形状を用いたが、着色層のパターン領域内に形成された孔でも同様の効果が得られる。しかし、パターニング精度の点から、カラーフィルタ部の着色層とスペーサ部の着色層が連続してしまうという不良の発生率が切り欠け形状の方が低く、好ましい。
【００４３】
これにより、本実施の形態の液晶表示素子は第２の実施の形態の液晶表示素子と同様に、スペーサ部の最上層の幅寸法を容易に制御することが可能となり、開口率がが小さくなるのを可及的に防止することができる。このためスペーサ部の幅が広がって画素領域に入り込むことを防止することができ、配向不良による表示不良を可及的に防止することができる。
【００４４】
なお、上記第１乃至第３の実施の形態においては、スペーサ部は、赤の着色層、緑の着色層、青の着色層の順に形成されているが、この順番を変えても良いことは言うまでもない。
【００４５】
なお、上記第２乃至第３の実施の形態においては、アクティブマトリクス液晶表示素子を用いて説明したがシンプルマトリクス液晶表示素子の場合についても本発明を用いても良いことは云うまでもない。
【００４６】
【発明の効果】
以上述べたように本発明によれば、開口率が高く、かつ表示不良を可及的に防止することができる。
【図面の簡単な説明】
【図１】本発明による液晶表示素子の第１の実施の形態の構成を示す断面図。
【図２】本発明による液晶表示素子の第２の実施の形態の構成を示す断面図。
【図３】第２の実施の形態の液晶表示素子にかかるカラーフィルタ基板の平面図。
【図４】本発明による液晶表示素子の第３の実施の形態の構成を示す平面図。
【図５】第３の実施の形態の液晶表示素子の断面図。
【図６】従来の液晶表示素子の問題点を説明する説明図。
【符号の説明】
２  基板
４  遮光膜
４ａ，４ｂ，４ｃ  遮光膜
６ａ，６ｂ，６ｃ  赤の着色層
７ａ，７ｂ，７ｃ  緑の着色層
８ａ，８ｂ，８ｃ，８ｄ  青の着色層
９ａ，９ｂ，９ｃ  スペーサ部
１０  対向電極
１１  開口部
１６  配向膜
２２  基板
２３  スルーホール
２４  ゲート電極
２５  ゲート線（走査線）
２６  補助容量線
２７  半導体層
２８  画素電極
２９ａ，２９ｂ  ソース及びドレイン領域
３１  信号線
３２  透明基板
３３  ゲート絶縁膜
３４  配向膜
４０  液晶組成物
４２  接着剤
４７  画素領域
５０  基板
６０  配向不良領域
【図１】
0003949759.tif 000002
【図２】
0003949759.tif 000003
【図３】
0003949759.tif 000004
【図４】
0003949759.tif 000005
【図５】
0003949759.tif 000006
【図６】
0003949759.tif 000007